(57)【特許請求の範囲】
【請求項１】
使用者が操作するキー入力部と、
各種データを表示する表示部と、
各種データを送受信するＲＦ部と、
前記表示部および前記ＲＦ部をそれぞれ制御する制御部とをそれぞれ有する送信側および受信側の移動通信端末装置の間でタグを使用した短文メッセージを伝送する方法であって、
前記送信側の移動通信端末装置において、前記制御部は、
前記キー入力部の操作によって、前記表示部に短文メッセージを作成するためのメーンウィンドウを、複数のタグおよび各タグの機能内容が表示されたタグ選択ウィンドウとともに表示する過程と、
その後、前記キー入力部の操作によって、前記タグ選択ウィンドウに表示されたタグが選択されることにより、前記メーンウィンドウに、選択されたタグの機能内容に関する表示を、該タグの機能内容が附与されるデータの入力部分を示すタグとともに表示する過程と、
その後、前記キー入力部の操作によって前記タグを含む短文メッセージが作成されると、前記キー入力部の操作によって、作成された短文メッセージを前記タグとともに前記ＲＦ部により前記受信側の移動通信端末装置に伝送する過程とを包含し、
前記受信側の移動通信端末装置において、前記制御部は、
前記ＲＦ部が短文メッセージを受信すると、受信された短文メッセージにタグが使用されているかをチェックする過程と、
その後、受信された短文メッセージにタグが使用されている場合に、受信された短文メッセージに該タグにて示された入力データ部分に該タグの機能内容を附与して前記受信側の移動通信端末装置の表示部に表示する過程とを包含し、
前記タグ選択ウィンドウには、個人的な情報に関する事項を示すＰＩＭ（Ｐｅｒｓｏｎｎｅｌ  Ｉｎｆｏｒｍａｔｉｏｎ  Ｍａｎａｇｅｒ）タグ及びテキストに関する事項を示すテキストタグが表示され、
前記ＰＩＭタグ及び前記テキストタグには、それぞれ、複数のタグが含まれており、前記ＰＩＭタグ及び前記テキストタグにそれぞれ含まれる複数のタグに、選択用の一連の番号が付けられており、
前記受信側の移動通信端末装置において、前記制御部は、受信された短文メッセージに前記ＰＩＭタグが使用されている場合に、受信された短文メッセージに包含されたＰＩＭタグの内容を自動的にフォーンブックに格納することが前記キー入力部の操作によって指示されると、前記ＰＩＭタグの内容を前記ＰＩＭタグに対応する前記フォーンブックの格納領域に自動的に格納する過程を実行することを特徴とする短文メッセージ伝送方法。
【請求項２】
前記タグ選択ウィンドウにて表示されるタグが選択されると、前記表示部に「［〈］［選択されたタグの機能内容を示す文字］［〉］」の形態に表示される請求項１記載の短文メッセージ伝送方法。
【請求項３】
前記ＰＩＭタグは、
氏名を示すＮタグと、
電子メールを示すＥタグと、
電話番号の種類を示すＴタグと、
電話番号によって特定されるグループ情報を示すＧタグとを含んで構成される、請求項１記載の短文メッセージ伝送方法。
【請求項４】
前記ＰＩＭタグに含まれる前記Ｔタグ及び前記Ｇタグは、夫々数字によって区分される請求項３記載の短文メッセージ伝送方法。
【請求項５】
前記テキストタグは、
テキストにおける色を指定するためのＣタグと、
テキストにおける筆触としてのｂｏｌｄを指定するためのＢタグと、
テキストにおける照映としてのＢｌｉｎｋを指定するためのＳタグと、
テキストの背景画面の色を指定するためのＧタグとを包んで構成される、請求項１記載の短文メッセージ伝送方法。
【請求項６】
前記テキストタグに含まれる前記Ｃタグおよび前記Ｇタグは、指定されるカラー情報と一緒に使用される請求項５記載の短文メッセージ伝送方法。
【請求項７】
前記受信側の移動通信端末装置において、前記制御部は、受信された短文メッセージに前記テキストタグが含まれる場合に、受信された短文メッセージのテキストに、前記テキストタグの内容を付与して前記表示部に表示する、請求項１記載の短文メッセージ伝送方法。
【請求項８】
前記ＰＩＭタグは、該ＰＩＭタグに含まれる前記複数のタグの内容別に格納される請求項１記載の短文メッセージ伝送方法。
【発明の詳細な説明】
【０００１】
【発明の属する技術分野】
本発明は、移動通信端末機の短文（Ｓｈｏｒｔ  Ｍｅｓｓａｇｅ  Ｓｅｒｖｉｃｅ；以下、ＳＭＳと略称す）メッセージ伝送方法に関し、詳しくは、タグ（Ｔａｇ）を利用した短文メッセージの伝送方法に関する。
【０００２】
【従来の技術】
一般に、短文（ＳＭＳ）メッセージは、移動通信端末機（以下、端末機と略称す）に備えられたアプリケイションプログラムであるＳＭＳエディタ（Ｅｄｉｔｏｒ；編集者）を利用して作成する。
【０００３】
即ち、使用者が端末機に備えられたメッセージメニューを選択すると、ＳＭＳエディタは制御部の制御によりＬＣＤ（（Ｌｉｑｕｉｄ  Ｃｒｙｓｔａｌ  Ｄｉｓｐｌａｙ）にＳＭＳメッセージを作成し得るメーンウィンドウをディスプレイし、該メーンウィンドウで使用者がソフトキーを利用して”言語”メニューを選択すると、ＳＭＳエディタは言語、数字、大文字、小文字及び特殊文字を選択するためのサブメニューをディスプレイする。
従って、使用者は上記ディスプレイされたサブメニューを適切に選択してＳＭＳメッセージを作成することで、テキスト情報、電話番号及び電子メール情報が包含されたＳＭＳメッセージを作成して受信端末機に伝送することができる。
【０００４】
【発明が解決しようとする課題】
然るに、このような従来のＳＭＳメッセージ伝送方法においては、ＳＭＳメッセージのテキストに色相、照映又は明滅（Ｂｌｉｎｋ）及び太い筆触（ｂｏｌｄ）のような多様な効果を奏することができないことで、受信端末機に伝送されたテキストは、通常、受信端末機のＬＣＤに黒色に現れるために、広告及びＳＭＳメッセージなどから重要な部分を浮刻させることができないという不都合な点があった。
【０００５】
且つ、従来の端末機には、ＰＩＭ（Ｐｅｒｓｏｎａｌ  Ｉｎｆｏｒｍａｔｉｏｎ  Ｍａｎａｇｅｒ）情報を伝送するための別途の機能が備えられていないために、ＰＩＭ情報伝送に限界があるという不都合な点があった。
【０００６】
又、従来ＳＭＳ伝送方法においては、ＳＭＳメッセージに包含された電話番号を使用者のキー入力によりフォーンブック（Ｐｈｏｎｅ  ｂｏｏｋ）に自動に挿入することができるが、氏名及び他の各情報（電子メール、メッセージ、電話番号の種類及びグループ情報）等は使用者がいちいち直接入力して格納しなければならないため、煩雑であるという不都合な点があった。
【０００７】
本発明は、このような従来の課題に鑑みてなされたもので、括弧のようなタグ（Ｔａｇ）を使用して多様なＰＩＭ情報を伝送し得るＳＭＳメッセージ伝送方法を提供することを目的とする。
【０００８】
且つ、タグを利用してＳＭＳメッセージのテキストに多様な効果を奏し得るＳＭＳメッセージ伝送方法を提供することを目的とする。
【０００９】
又、ＳＭＳメッセージに包含されたＰＩＭ情報をフォーンブック（ｐｈｏｎｅｂｏｏｋ）に自動に格納し得るＳＭＳメッセージ伝送方法を提供することを目的とする。
【００１０】
【課題を解決するための手段】
本発明の短文メッセージ伝送方法は、使用者が操作するキー入力部と、各種データを表示する表示部と、各種データを送受信するＲＦ部と、前記表示部および前記ＲＦ部をそれぞれ制御する制御部とをそれぞれ有する送信側および受信側の移動通信端末装置の間でタグを使用した短文メッセージを伝送する方法であって、前記送信側の移動通信端末装置において、前記制御部は、前記キー入力部の操作によって、前記表示部に短文メッセージを作成するためのメーンウィンドウを、複数のタグおよび各タグの機能内容が表示されたタグ選択ウィンドウとともに表示する過程と、その後、前記キー入力部の操作によって、前記タグ選択ウィンドウに表示されたタグが選択されることにより、前記メーンウィンドウに、選択されたタグの機能内容に関する表示を、該タグの機能内容が附与されるデータの入力部分を示すタグとともに表示する過程と、その後、前記キー入力部の操作によって前記タグを含む短文メッセージが作成されると、前記キー入力部の操作によって、作成された短文メッセージを前記タグとともに前記ＲＦ部により前記受信側の移動通信端末装置に伝送する過程とを包含し、前記受信側の移動通信端末装置において、前記制御部は、前記ＲＦ部が短文メッセージを受信すると、受信された短文メッセージにタグが使用されているかをチェックする過程と、その後、受信された短文メッセージにタグが使用されている場合に、受信された短文メッセージに該タグにて示された入力データ部分に該タグの機能内容を附与して前記受信側の移動通信端末装置の表示部に表示する過程とを包含することを特徴とする。
【００１１】
前記タグ選択ウィンドウには、個人的な情報に関する事項を示すＰＩＭ（Ｐｅｒｓｏｎｎｅｌ  Ｉｎｆｏｒｍａｔｉｏｎ  Ｍａｎａｇｅｒ）タグ及びテキストに関する事項を示すテキストタグが表示される。
【００１２】
前記ＰＩＭタグ及び前記テキストタグには、それぞれ、複数のタグが含まれており、前記ＰＩＭタグ及び前記テキストタグにそれぞれ含まれる複数のタグに、選択用の一連の番号が付けられている。
【００１３】
前記タグ選択ウィンドウにて表示されるタグが選択されると、前記表示部に「［〈］［選択されたタグの機能内容を示す文字］［〉］」の形態に表示される。
【００１４】
前記ＰＩＭタグは、氏名を示すＮタグと、電子メールを示すＥタグと、電話番号の種類を示すＴタグと、電話番号によって特定されるグループ情報を示すＧタグとを含んで構成される。
【００１５】
前記ＰＩＭタグに含まれる前記Ｔタグ及び前記Ｇタグは、夫々数字によって区分される。
【００１６】
前記テキストタグは、テキストにおける色を指定するためのＣタグと、テキストにおける筆触としてのｂｏｌｄを指定するためのＢタグと、テキストにおける照映としてのＢｌｉｎｋを指定するためのＳタグと、テキストの背景画面の色を指定するためのＧタグとを包んで構成される。
【００１７】
前記テキストタグに含まれる前記Ｃタグおよび前記Ｇタグは、指定されるカラー情報と一緒に使用される。
【００１９】
前記受信側の移動通信端末装置において、前記制御部は、受信された短文メッセージに前記テキストタグが含まれる場合に、受信された短文メッセージのテキストに、前記テキストタグの内容を付与して前記表示部に表示する。
【００２０】
前記受信側の移動通信端末装置において、前記制御部は、受信された短文メッセージに前記テキストタグが含まれる場合に、受信された短文メッセージのテキストに、前記テキストタグの内容を付与して前記表示部に表示する。
【００２１】
前記受信側の移動通信端末装置において、前記制御部は、受信された短文メッセージに前記ＰＩＭタグが使用されている場合に、受信された短文メッセージに包含されたＰＩＭタグの内容を自動的にフォーンブックに格納することが前記キー入力部の操作によって指示されると、該ＰＰＩＭタグの内容を自動的にフォーンブックに格納する過程を実行する。
【００２２】
前記ＰＩＭタグは、該ＰＩＭタグに含まれる前記複数のタグの内容別に格納される。
【００２５】
【発明の実施の形態】
以下、本発明の実施の形態に対し、図面を用いて説明する。
【００２６】
本発明に係る移動通信端末機においては、図１に示したように、移動通信端末機の全般的な制御動作及びタグを利用してＳＭＳ（短文）メッセージを作成する制御動作を行う制御部１００と、複数の数字キー及び各種の機能キーから成るキーを備えた使用者のキー入力部１１０と、液晶表示装置（Ｌｉｑｕｉｄ  Ｃｒｙｓｔａｌ  Ｄｉｓｐｌａｙ：ＬＣＤ）を備えて、端末機の状態及びプログラムの進行状況を表示する表示部１２０と、動作プログラム及びタグ（Ｔａｇ）が格納されるためのアプリケイションプログラムが格納されたＲＯＭと、使用者データが格納されるためのＥＥＰＲＯＭ及びＲＡＭを構えたメモリ１３０と、マイクロフォーンから入力された音声信号を音声データに変調して後述のＲＦ部１５０に出力又は、該ＲＦ部１５０から入力された音声データを音声信号に復調してスピーカーに出力する信号処理部１４０と、制御部１００の制御によってアンテナからＳＭＳ（短文）メッセージ及び各種のデータを送受信するＲＦ部１５０と、を包含して構成されている。
【００２７】
以下、このように構成された端末機のＳＭＳメッセージの作成及び伝送動作に対して、説明する。
【００２８】
即ち、本発明に係る端末機のＳＭＳメッセージの作成及び伝送動作においては、次のように、括弧のようなタグに表示される内容の文法及び目録としてのタグアプリケイションを定義して、人的情報としてのＰＩＭ情報及びテキスト（Ｔｅｘｔ）の情報が夫々包含されたＳＭＳメッセージを作成して受信端末機に伝送する。
【００２９】
先ず、本発明に係るタグ文法は次のように定義される。
【００３０】
前記タグの開始及び終了は、夫々”〈”と”〉”に表示され、その後、該タグ”〈”と”〉”の中に表示されるテキストが次のようにＰＩＭタグとテキストタグとに大別して表示される。
（１）．ＰＩＭタグの内容
Ｎ：氏名
Ｅ：電子メール（Ｅ−ｍａｉｌ）
Ｔ：電話番号の種類（住宅、携帯電話、会社）
Ｇ：上記各電話番号が含まれるグループ（家族、友人、職場、会社、学校）
（２）．テキストタグの内容
Ｃ：テキストのカラー
Ｂ：テキストを特に強調するために太く表示した太字としてのｂｏｌｄ
Ｇ：背景の画面カラー
Ｓ：テキストの照映又は明滅を表示したＢｌｉｎｋ
この時、上記ＰＩＭタグのＴタグ及びＧタグによって、全ての電話番号の種類及びグループ情報に対する区分が数字に表示され、Ｃタグ及びＧタグは、通常のカラー情報と一緒に使用される。
【００３１】
一般に、ＳＭＳメッセージを作成する時に使用されるＳＭＳメッセージエディタは、言語、大文字、小文字及び特殊文字などを選択することができるようになっているが、上記ＳＭＳメッセージエディタでタグに挿入されるＳＭＳメッセージを作成する場合は、特殊文字及び英文大文字及び小文字などは別途に選択して入力しなければならない。
【００３２】
本発明は、このような従来の課題に鑑みてなされたもので、タグを作成するためのアプリケイションプログラムとし、タグエディタが備えられ、該タグエディタは、従来ＳＭＳメッセージエディタの言語、英文の大文字、小文字及び特殊文字の選択メニューにタグ選択メニューを追加して包含している。
【００３３】
従って、各選択メニューからタグ選択メニューが選択されると、上記制御部１００は、上記表示部１２０にタグ文書作成が可能な”〈［Ｔａｇ］［ｏｐｔｉｏｎ］〉”を一度で表示することで、従来のように使用者が特殊文字”〈”、”〉”及び英文を一々探して挿入しなければならなかった複雑さが解消される。
【００３４】
以下、このように構成された本発明に係るタグを使用したＳＭＳメッセージの作成方法に対し、説明する。
【００３５】
先ず、使用者が端末機でメッセージメニューを選択すると、上記制御部１００は、図２（Ａ）に示したように、上記表示部１２０にＳＭＳメッセージを作成し得るメーンウィンドウを表示する。この状態で使用者がメーンウィンドウの一方側に備えられたモード転換キーとしての、例えば、”言語”キーを選択することで、言語、数字、大文字、小文字、特殊文字及びタグモード中、一つのモードを選択することができる。このようなことは、端末機によって少しずつ異なる場合があるが、全ての端末機が殆ど上記と類似な機能を有している。
【００３６】
そして、上記複数のモード中、タグモードが選択されると、上記制御部１００は、上記表示部１２０にＰＩＭタグ及びテキストタグを選択し得るタグ選択ウィンドウ１０を表示し、上記タグ選択ウィンドウ１０は、上記表示部１２０の別途の領域又は、図２（Ｂ）に示したようなポップアップウィンドウ（Ｐｏｐｕｐ  Ｗｉｎｄｏｗ）に表示される。又、図３に示したように、タグ選択ウィンドウ１０に表示されるＰＩＭタグ及びテキストタグは、上記キー入力部１１０の番号キー（０、１、２、．．．、９）により選択可能に一連番号が付記されてある。
【００３７】
従って、使用者は、上記キー入力部１１０に備えられた番号キーを利用してＳＭＳメッセージを作成するためのＰＩＭタグ又はテキストタグを選択することができる。
【００３８】
例えば、使用者が番号キー”１”を入力してＮタグを選択すると、図２（Ｃ）に示したように、メーンウィンドウに”〈Ｎ＿〉”が表示され、使用者は”〈Ｎ＿〉”のカーソル位置に氏名を入力してＰＩＭ関連情報を入力することができる。この時、Ｕｎｄｅｒ  ｂａｒ＿はカーソルの位置を示す。
【００３９】
又、使用者が番号キー”５”を入力してＣタグを選択すると、メーンウィンドウに”〈Ｃ＿〉”が表示される。従って、使用者は、カーソル位置に所望のカラー情報を入力してテキストと背景画面のカラーを指定することができる。
【００４０】
即ち、ＣＲ（赤色）、ＣＢ（青色）、ＣＧ（薄緑色）、ＣＹ（黄色）及びＣＣ（空色）等を入力してテキストカラーを指定し、上記と同様な方法によりＧＲ、ＧＢ、ＧＧ、ＧＹ及びＧＣなどを入力して背景画面のカラーを指定する。この時、テキスト及び背景画面のカラーは、携帯電話のカラー支援程度によって追加又は変更をすることができる。
【００４１】
従って、使用者はＰＩＭタグ及びテキストタグを利用して”〈Ｎ金太郎〉〈ｋｉｎｇ＠ａｂｃ．ｃｏｍ〉〈ＣＹこんにちは〉”とＳＭＳメッセージを作成した場合、受信端末機の表示部には”金太郎ｋｉｎｇ＠ａｂｃ．ｃｏｍこんにちは”が表示されて、該”こんにちは”は黄色に表示される。この時、タグ解析機能のない端末機の場合、上記内容は一般のメッセージのように表示されて、タグ解析機能を有する端末機の場合、前記タグは表示されない。
【００４２】
且つ、本発明は、上記内容に限らず、一つのタグの中にもう一つのタグを挿入してＳＭＳメッセージを作成することもできる。
【００４３】
即ち、本発明は、”〈ＧＢ〉〈Ｎ金太郎〉〈ｋｉｎｇ＠ａｂｃ．ｃｏｍ〉〈ＣＹこんにちは〈ＣＲ金太郎〉と申します〉お会いできて嬉しいです”のように、Ｃタグ内にもう一つのＣタグを挿入することができる。従って、上記ＳＭＳメッセージが受信端末機に伝送される場合、画面の背景色は青色に表示されて、”こんにちは”と”と申します”は黄色に表示されて、”金太郎”は赤色に夫々表示される。
【００４４】
このように使用者は、タグウィンドウに表示された番号キー（１〜７）を利用してＰＩＭタグ（Ｎ、Ｅ、Ｔ、Ｇ）及び／又はテキストタグ（Ｃ、Ｂ、Ｇ、Ｓ）を選択した後、選択されたタグのカーソル位置に所望の情報を挿入してＳＭＳメッセージを作成する。この時、ＳＭＳメッセージは、タグを包含して英文８０字及び、例えば、仮名４０字を越えないようにする。
【００４５】
次いで、ＳＭＳメッセージの作成が完了すると、作成されたＳＭＳメッセージは使用者の伝送キー入力によってＲＦ部１５０を通って受信端末機に伝送される。
【００４６】
前記ＳＭＳメッセージが受信されると、図４に示したように、受信端末機の制御部（未図示）は受信されたＳＭＳメッセージの文字列を分析してタグが使用されたかをチェックし（Ｓ１０−Ｓ１２）、若し、タグが使用されていないと、上記制御部は既存の方式を利用してＳＭＳメッセージを処理して（Ｓ１７）、タグが使用された場合は、タグに包含された情報に対してタグの内容であるＳＭＳメッセージにテキストの内容を附与した後、表示部にディスプレイする（Ｓ１３）。
【００４７】
次いで、使用者が格納キーを押すと、制御部は伝送されたＳＭＳメッセージにＰＩＭタグが包含されたかをチェックして（Ｓ１４−Ｓ１５）、ＰＩＭタグが包含された場合、ＰＩＭタグに挿入された情報をタグ内容（氏名、電子メール、グループ情報電話番号の種類等）別にフォーンブック（ｐｈｏｎｅ  ｂｏｏｋ）に自動に格納する（Ｓ１６）。例えば、ＳＭＳメッセージに〈Ｎ金太郎〉というＰＩＭタグが含まれてある場合、制御部は”金太郎”をフォーンブックの氏名を格納する部分に直ちに格納する。従って、使用者は従来のように氏名を入力するための別途の動作を遂行する必要が無い。
【００４８】
本発明は、第１実施形態に、タグに表示される内容の文法及びタグの種類に対し、説明したが、今後、タグは、端末機の供給者、端末機の事業者及び端末機の性能によってその他の事項を追加することができる。
【００４９】
又、本発明は、端末機の事業者と端末機の製造業者間のタグ規約によりサービスを行い得る事項であって、端末機の製造会社でＳＭＳ伝送フォーマットを変更することなく、各タグに該当する機能を具現する場合、容易に実施することができる。
【００５０】
本発明は、メーンウィンドウを表示する過程と、メーンウィンドウのサブメニューを選択してタグウィンドウを表示する過程と、タグウィンドウでタグを選択して短文メッセージを作成する過程と、該作成された短文メッセージを受信端末機に伝送する過程と、を順次行うタグを利用した短文メッセージ伝送方法を提供する。
【００５１】
【発明の効果】
以上、説明したように、本発明に係るタグを利用した短文メッセージ伝送方法においては、テキスト（Ｔｅｘｔ）タグを利用してＳＭＳメッセージのテキストに多様な機能（カラー、照映としてのＢｌｉｎｋ、太字としてのｂｏｌｄ）を与えることで、広告及びＳＭＳメッセージ中、重要な部分を浮刻し得るという効果がある。
【００５２】
又、人的事項のＰＩＭタグを利用して短文のＳＭＳメッセージを伝送することで、多様なＰＩＭ情報を伝送することができるし、該伝送されたＰＩＭ情報を一度のキー操作により直ちにフォーンブックに格納し得るという効果がある。
【図面の簡単な説明】
【図１】本発明に係る移動通信端末機の概略的なブロック図である。
【図２】（Ａ）、（Ｂ）、（Ｃ）は、本発明に係る短文メッセージを作成するための移動通信端末機のメーンウィンドウを示した平面図で、（Ａ）はウィンドウの表面が表示された図、（Ｂ）はタグの選択が表示されたウィンドウを表示した図、（Ｃ）はＰＩＭの氏名Ｎが表示されたウィンドウを表示した図である。
【図３】本発明に係るメーンウィンドウに現れるタグの内容が表示された図である。
【図４】本発明に係る受信端末機の短文メッセージの処理動作を示したフローチャートである。
【符号の説明】
１００  制御部
１１０  キー入力部
１２０  表示部
１３０  メモリ
１４０  信号処理部
１５０  ＲＦ部
【図１】
0004280478.tif 000002
【図２】
0004280478.tif 000003
【図３】
0004280478.tif 000004
【図４】
0004280478.tif 000005